(57)【要約】      （修正有）【課題】建物や設備に容易に取り付け可能な除湿装置及び除湿システムを提供する。【解決手段】除湿装置は、換気扇６Ｘによって屋内１５に給気される空気１２を冷却する冷却部２０と冷却部２０の下方に配設された排水部２１とから構成される冷却器２と、屋内１５に給気される空気１２に熱を加えて加温するフィルムヒーター３と、を備える。冷却部２０及びフィルムヒーター３は、換気扇６Ｘによって屋内１５に給気される空気１２の流路上に配置されており、フィルムヒーター３は冷却器２に取り付けられている。【選択図】図３
0003214744.tif 000002
【実用新案登録請求の範囲】
【請求項１】
送風機によって給気される空気を冷却する冷却部と該冷却部の下方に配設された排水部とが一体的に構成された冷却器と、
前記給気される空気に熱を加えて加温するヒーターと、を備え、
前記ヒーターは前記冷却器に一体的に取り付けられていることを特徴とする除湿装置。
【請求項２】
前記ヒーターは、前記冷却部を介して給気される前記空気の給気方向の延長上に配置されている請求項１に記載の除湿装置。
【請求項３】
前記送風機から生じる回転動力によって電力を生じさせる発電機を更に備え、
前記ヒーターは、前記発電機から供給された前記電力を熱源としている請求項１又は２に記載の除湿装置。
【請求項４】
前記ヒーターは、面状のフィルムヒーターであり、該フィルムヒーターの主面を前記冷却部に対向させて配置されている請求項１から３のいずれか一項に記載の除湿装置。
【請求項５】
前記ヒーターを前記冷却器に取り付ける支持体を更に備える請求項１から４のいずれか一項に記載の除湿装置。
【請求項６】
前記送風機は前記冷却器に一体的に取り付けられている請求項１から５のいずれか一項に記載の除湿装置。
【請求項７】
空気中に存在する異物を除去するフィルタを更に備え、
該フィルタは、前記給気される空気の流路上であって、前記送風機と前記ヒーターとの間、又は前記送風機よりも上流側に設けられている請求項１から６のいずれか一項に記載の除湿装置。
【請求項８】
建物の壁への取付構造を更に備える請求項１から７のいずれか一項に記載の除湿装置。
【請求項９】
冷媒を用いる他の機器と前記冷却部とを接続する接続部を更に備え、
前記冷却部は、前記接続部を介して前記他の機器から流れ込む前記冷媒によって熱交換を行う熱交換器である請求項１から８のいずれか一項に記載の除湿装置。
【請求項１０】
請求項９に記載の除湿装置と、
圧縮機を備える室外機と、室内機と、前記室外機と前記室内機とを接続する冷媒管と、前記室外機と前記室内機にそれぞれ設けられた他の熱交換器と、から構成されるエアコンディショナを備え、
前記他の機器は、前記エアコンディショナであり、
前記接続部が前記エアコンディショナの前記冷媒管に接続されることにより、前記接続部に冷媒が流れ込む除湿システム。
【請求項１１】
前記冷却部及び前記ヒーターは、前記送風機によって給気される前記空気の流路上に配置されている請求項１０に記載の除湿システム。
【請求項１２】
前記送風機は、室内に空気を給気する吸気側送風機であり、
室外に空気を排気する排気側送風機と、前記吸気側送風機と前記排気側送風機とを同時に稼働するように電力の供給を切り替えるスイッチと、を更に備える請求項１０又は１１に記載の除湿システム。
【考案の詳細な説明】
【技術分野】
【０００１】
本考案は、除湿装置、及び除湿装置を備える除湿システムに関する。
【背景技術】
【０００２】
屋内と屋外との温度差によって建物内に生じる結露等がカビの発生原因となる。特に高温多湿の環境下において、屋内外の温度差が生じると結露が生じやすい。このような問題の解決のため、温度を低下させて除湿しつつ、温度を低くし過ぎないようにして相対湿度を低下させることが必要となる。
【０００３】
特許文献１には、水を製氷し貯蔵する氷室と、氷室内と屋内スポーツ施設内とを連通する給・排気管と、給気管内に設けられた送風機と、送風機から離れて給気管内に設けられたヒーターと、を備える除湿冷房装置が開示されている。
【先行技術文献】
【特許文献】
【０００４】
【特許文献１】特開２００８−１３８９７８号公報
【考案の概要】
【考案が解決しようとする課題】
【０００５】
特許文献１に開示された除湿冷房装置は、屋内スポーツ施設向けのものであり、大きな氷室を設け、氷室内と屋内スポーツ施設とに連通する給気管内に、送風機及びヒーターを設けるというものであった。氷室が大きいこともあり、当該装置を各種建物（設備）に設けることは容易ではなかった。
【０００６】
本考案は、上記の課題に鑑みなされたものであり、建物（設備）に容易に取り付け可能な除湿装置及び除湿システムを提供することを目的とする。
【課題を解決するための手段】
【０００７】
本考案によれば、送風機によって給気される空気を冷却する冷却部と該冷却部の下方に配設された排水部とが一体的に構成された冷却器と、前記給気される空気に熱を加えて加温するヒーターと、を備え、前記ヒーターは前記冷却器に一体的に取り付けられていることを特徴とする除湿装置が提供される。
【０００８】
また、本考案によれば、上記除湿装置と、圧縮機を備える室外機と、室内機と、前記室外機と前記室内機とを接続する冷媒管と、前記室外機と前記室内機にそれぞれ設けられた他の熱交換器と、から構成されるエアコンディショナを備え、他の機器は、前記エアコンディショナであり、接続部が前記エアコンディショナの前記冷媒管に接続されることにより、前記接続部に冷媒が流れ込む除湿システムが提供される。
【考案の効果】
【０００９】
本考案によれば、建物（設備）に容易に取り付け可能な除湿装置及び除湿システムを提供できる。
【図面の簡単な説明】
【００１０】
【図１】本考案の実施形態に係る除湿装置を備える建物を示す模式図である。
【図２】除湿装置を示す斜視図である。
【図３】除湿装置の外壁への取付状態を示す模式的な断面図である。
【図４】変形例に係る除湿装置を示す斜視図である。
【図５】除湿システムを示す模式的な斜視図である。
【考案を実施するための形態】
【００１１】
以下、本考案の実施形態を図面に基づいて説明する。なお、以下に説明する実施形態は、本考案の理解を容易にするための一例に過ぎず、本考案を限定するものではない。すなわち、以下に説明する部材の形状、寸法、配置等については、本考案の趣旨を逸脱することなく、変更、改良され得るとともに、本考案にはその等価物が含まれることは勿論である。また、すべての図面において、同様の構成要素には同一の符号を付し、適宜に説明を省略する。
【００１２】
＜＜除湿装置について＞＞
まず、図１〜図３を主に参照して本考案の実施形態に係る除湿装置１について説明する。
図１は、本考案の実施形態に係る除湿装置１を備える建物４０を示す模式図、図２は、除湿装置１を示す斜視図、図３は、除湿装置１の外壁４０ｗへの取付状態を示す模式的な断面図である。
【００１３】
本考案の実施形態に係る除湿装置１は、送風機（換気扇６Ｘ）によって給気される空気１２を冷却する冷却部２０と冷却部２０の下方に配設された排水部２１とが一体的に構成された冷却器２と、給気される空気１２に熱を加えて加温するヒーター（フィルムヒーター３）と、を備える。
冷却部２０及びヒーター（フィルムヒーター３）は、送風機（換気扇６Ｘ）によって屋内１５に給気される空気１２の流路上に配置されており、ヒーター（フィルムヒーター３）は冷却器２に一体的に取り付けられている。つまり、フィルムヒーター３が冷却器２に一体的に取り付けられていることで、まとめて運ぶことが可能であるという可搬性を有する。
ここで、換気扇６Ｘによって屋内１５に給気される空気１２の流路とは、換気扇６Ｘの給気方向の直線的な延長上に限定されない。例えば、当該空気１２が屈曲した図示せぬ導管内を通る場合には、空気１２が通る屈曲した延長上も流路に含まれる。
【００１４】
除湿装置１は、冷却器２によって温度を低下させつつ結露水を排出することで空気１２中の水蒸気量を減らし、フィルムヒーター３によって温度を上昇させつつ相対湿度を下げる機能がある。このため、除湿装置１は、温度を下げ水蒸気量を減らす冷却器２と、相対湿度を下げるフィルムヒーター３と、を備えることで、人の体感温度を下げる扇風機と比較して、より体感温度を下げることができる。そして、除湿装置１によれば、図５に示して後述する電力消費の大きいエアコンディショナ８を新たに設ける必要がなくなる。これらの構成の詳細については後述する。
【００１５】
図１に示すように、除湿装置１が設けられている建物４０は、屋外１４からの空気１２を換気扇６Ｘによって屋内１５に給気する際に、除湿装置１によってその給気される空気１２の温度及び湿度を調整されている。また、建物４０の屋内１５の空気１２は、換気扇６Ｙによって屋外１４に排気されることによって、屋内１５内の空気１２がスムーズに入れ替わるように構成されている。
【００１６】
冷却器２は、上記において説明した図２に示すように、屋内１５に給気される空気１２を冷却する冷却部２０と、冷却部２０の下方に配設された排水部２１と、から一体的に構成されている。つまり、冷却器２は、冷却部２０と排水部２１とをまとめて運ぶことが可能であるという可搬性を有する。
冷却部２０は、冷却水等の冷媒が流れる冷却管２０ａと、冷却管２０ａを保持するフレーム２０ｄと、から構成されている。
【００１７】
冷却管２０ａは、本実施形態においては、図示せぬ井戸や貯水槽等の温度の低い水源及び図示せぬポンプに接続されており、冷媒としての冷却水が循環されるように構成されている。このように貯水槽等に接続された冷却管２０ａによる冷却器２によれば、図５に示して後述する室外機８ａ及び室内機８ｂを備えるエアコンディショナ８によって屋内１５を冷却するよりも電力消費を抑制することができる。
なお、冷却管２０ａは、井戸や貯水槽に接続されるものに限定されず、凝縮器や蒸発器などが熱交換器を備える冷凍機に接続されるものであってもよく、流れる冷媒としては水に限定されずフロンガス等であってもよい。
【００１８】
本実施形態においては、冷却管２０ａは、冷却水を供給する基端側の部分と、これを回収する側の先端側の部分が、フレーム２０ｄの短尺方向（後述するフィルムヒーター３の主面３ａに垂直な方向）に対して垂直な一方向に、フレーム２０ｄから引き出されている。本実施形態において、当該「垂直な一方向」とは、水平に延在する一方向であり、図２に示す紙面に対して垂直手前に延在する向きである。このように、冷却管２０ａがフレーム２０ｄから一方向に引き出されていると、配管が容易となり好適である。一方で、本考案において、冷却管２０ａを引き出す向きは任意であり、上下方向であってもよく、さらには、フレーム２０ｄから引き出される冷却管２０ａの部位が互いに異なる向きであってもよい。
【００１９】
冷却管２０ａは、その中央部分であってフレーム２０ｄに収容される部分において複数回折り返されるように形成されている。具体的には、図３において断面図を示すように、本実施形態に係る冷却管２０ａは、フレーム２０ｄの内部において、４箇所の部分が並列するように折り返されて形成されている。このように形成されていることで、フレーム２０ｄの内部において、屋内１５に給気された空気１２が冷却管２０ａに接触する面積を大きくして、空気１２の冷却効果が高められている。
【００２０】
本実施形態に係るフレーム２０ｄは、その短尺方向（後述するフィルムヒーター３の主面３ａに垂直な方向）に空気１２を通すことが可能なように、短尺方向から見て例えば角張った倒立Ｕ字状に形成されている。フレーム２０ｄの下部は排水部２１に覆われるようにして接続されている。
排水部２１は、冷却管２０ａに結露して滴り落ちる結露水を建物４０の外部に排水して除湿するためのものであり、冷却管２０ａから滴り落ちる結露水をその下方から受ける受け部２１ａと、屋外１４に結露水を排出する樋２１ｂと、から構成されている。
受け部２１ａは、周囲に立壁を有して受け皿状に形成され、フレーム２０ｄの下部と嵌合するように形成されている。
樋２１ｂは、受け部２１ａの中央下部にその内部空間に連通するように接続されて、排水部２１の内部空間と連通している。樋２１ｂは、屋内１５から屋外１４に連続して形成されており、屋外１４の地中に設けられた排水管１３に接続されている。
【００２１】
本実施形態に係る除湿装置１においては、屋外１４から屋内１５に外気を給気する送風機（換気扇６Ｘ）が冷却器２に一体的に取り付けられている。送風機（換気扇６Ｘ）は、図１に示すように、室外（屋外１４）から室内（屋内１５）に空気１２を吸気する吸気側送風機（屋内１５を与圧する与圧型の送風機）である。換気扇６Ｘは、モータ６ｃによって動作可能に構成されている。換気扇６Ｘは、外壁４０ｗに取り付けるための取付フレーム６ｄと、モータ６ｃによって回転動作する回転シャフト６ｅと、を備える。
また、本考案の除湿システムは、図１に示すように、室内（屋内１５）から室外（屋外１４）に空気１２を排気する排気側送風機（換気扇６Ｙ）と、吸気側送風機（換気扇６Ｘ）と排気側送風機（換気扇６Ｙ）とを同時に稼働するように電力の供給を切り替えるスイッチＳＷと、を更に備える。
換気扇６Ｙは、屋内１５（室内）を減圧する機能を有して、建物４０の外壁４０ｗにおける、換気扇６Ｘと離れた部位に設けられている。
【００２２】
このように、換気扇６Ｘと換気扇６Ｙとが建物４０に設けられていれば、屋外１４と屋内１５との間で換気が良好に行われることとなる。
本考案の除湿システムが、スイッチＳＷにより換気扇６Ｘ、６Ｙを同時に稼働することで、屋内１５の圧力が高まることを抑制して、換気扇６Ｘからの空気１２の給気を良好に行うことができる。
なお、換気扇６Ｘのみで空気１２の循環がスムーズな建築構造であれば（換言すると、屋内１５内の圧力が換気扇６Ｘから屋内１５に給気可能な圧力であれば）、換気扇６Ｙは必ずしも必要な構成ではない。
【００２３】
取付フレーム６ｄは、例えば上方及び下方にフランジ６ａが延在している。換気扇６Ｘは、フランジ６ａが外壁４０ｗに面接触した状態で、止めねじ６ｂがフランジ６ａに形成された貫通穴を挿通して外壁４０ｗにねじ込まれることで、外壁４０ｗに取り付けられている。そして、冷却器２が後述する連結フレーム４及び連結ピン４ａによって換気扇６Ｘに接続されており、後述するフィルムヒーター３が支持体３ｂによって冷却器２に支持されている。つまり、冷却器２及びフィルムヒーター３は、換気扇６Ｘとともに外壁４０ｗに取り付けられている。なお、フィルムヒーター３を支持できれば、支持体３ｂの形状は限定されず、棒状以外にブロック状であったり、フィルムヒーター３を挟持するようにして支持するクランプ状であってもよい。また、ねじやボルト・ナット、接着剤を用いて、フィルムヒーター３を支持するようにしてもよい。
【００２４】
図５に示して後述する室外機８ａ及び室内機８ｂを備えるエアコンディショナ８によって、屋内１５を冷却する構成によっては、室内機８ｂのフィルタに付いた塵埃を拡散させるだけであり、塵埃を除去することはできない。
一方で、本実施形態に係る換気扇６Ｘを備える冷却器２によれば、給気した外気を冷却した上で屋内１５に取り込み、換気扇６Ｙによって外気に室内の空気１２を排気する。
このように、屋内１５と屋外１４との間で空気１２の移動が生じるため、屋外１４に室内の空気１２とともに塵埃を排出でき、屋内１５の塵埃の拡散を抑制することができる。
【００２５】
冷却器２と換気扇６Ｘとは、連結フレーム４によって連結されている。
連結フレーム４は、フレーム２０ｄと受け部２１ａとが嵌合して形成される外形、及び換気扇６Ｘの取付フレーム６ｄにおけるフランジ６ａを除いた外形と略一致する形状で形成されている。
換気扇６Ｘと連結フレーム４とは、換気扇６Ｘの取付フレーム６ｄに連結フレーム４における冷却器２に離間する側の端面が重ね合わせられた状態で、連結ねじ４ｂがねじ込まれることによって連結されている。
連結フレーム４と冷却器２とは、連結フレーム４における冷却器２に近接する側の端面に冷却器２のフレーム２０ｄが重ね合わせられた状態で、連結フレーム４の一部と冷却器２のフレーム２０ｄの一部とに連結ピン４ａが埋設されていることで連結されている。
【００２６】
本実施形態に係るヒーターは、内部に図示せぬ導電線を備える面状（平板状）のフィルムヒーター３である。具体的には、本実施形態に係るフィルムヒーター３は、フィルムヒーター３を構成する素子が、温度に応じて相転移して、電気抵抗値が変化することによって、発熱温度が調整される自己制御型ヒーターである。
ヒーター（フィルムヒーター３）は、冷却部２０を介して給気される空気１２の給気方向の延長上に配置されており、その主面３ａを冷却部２０に対向させて配置されている。
ここで、給気される空気１２の給気方向の延長上とは、空気１２の給気方向の直線的な延長上に限定されない。例えば、当該空気１２が屈曲した図示せぬ導管内を通る場合には、空気１２が通る屈曲した延長上も含まれる。
また、「対向」とは、図３に示すように、フィルムヒーター３の主面３ａが、冷却部２０の屋内１５側の面に平行に配置されて、これに向き合っている状態に限定されない。つまり、冷却部２０を通る空気１２が主面３ａに触れるように配置されていればよく、「対向」には、冷却部２０の屋内１５側の面に対して主面３ａが斜めに向いた状態も含まれる。
【００２７】
このようにフィルムヒーター３が配置されていることで、除湿のために露点以下に冷却部２０で冷やされた空気１２を適度な温度に昇温させつつ、相対湿度を下げることができる。さらに、フィルムヒーター３の主面３ａが冷却部２０に対向させて配置されていることで、除湿装置１がコンパクトに配置されることとなる。
本実施形態において、換気扇６Ｘによって給気された空気１２は、平板状のフィルムヒーター３に当接して、フィルムヒーター３を迂回するようにして屋内１５に給気されることとなる。
【００２８】
フィルムヒーター３への供給電力をオン／オフする図示せぬスイッチがフィルムヒーター３に接続されていてもよい。このように接続されたスイッチを操作することで、例えば、真夏日等にフィルムヒーター３による昇温が、目標温度設定への妨げになる場合には、スイッチをオフにしてフィルムヒーター３の稼働を止めることができる。さらには、フィルムヒーター３は、自己制御型のヒーターに限られず、他の制御装置によって稼働制御されるものであったり、使用者の操作によって稼働制御されるものであってもよい。
【００２９】
フィルムヒーター３における図示せぬ導電線以外の領域に、複数の貫通孔がフィルムヒーター３の厚さ方向に形成されていてもよい。このようにすれば、換気扇６Ｘによる給気される空気１２を貫通孔に通すようにすることで、その流れを妨げるように迂回させることなく、直進させることができ、給気能力を高めることができる。
なお、本考案に係るヒーターは、面状のフィルムヒーター３に限定されず、昇温できるものであればよい。例えば、給湯の際の蒸気が通る蒸気管であったり、コージェネレーションシステムによって生じた排気ガスが通る排熱管であってもよい。このようにすれば、除湿装置１用の個別のヒーターを設ける必要がなくなる。
【００３０】
除湿装置１は、ヒーター（フィルムヒーター３）を冷却器２に取り付ける棒状の複数の支持体３ｂを更に備える。支持体３ｂは、冷却器２におけるフレーム２０ｄ及び排水部２１におけるフィルムヒーター３に対向する面から、フィルムヒーター３に向かって突出するように形成されている。支持体３ｂによってフィルムヒーター３を冷却器２に容易に取り付けることができる。
このため、除湿装置１は、冷却器２、フィルムヒーター３及び換気扇６Ｘを建物４０にまとめて容易に取り付けることが可能である。
【００３１】
除湿装置１は、送風機（換気扇６Ｘ）の回転シャフト６ｅが回転することにより生じる回転動力によって電力を生じさせる発電機５を更に備える。そして、ヒーター（フィルムヒーター３）は、発電機５から供給された電力を熱源としており、発電機５に導線５ａで接続されている。このような構成によれば、換気扇６Ｘが動作するときに生じる回転動力を利用して発電機５に電力を生じさせ、当該電力をフィルムヒーター３の熱源として利用することができる。このため、フィルムヒーター３を動作させるための熱源を別途用意する必要がない。
【００３２】
除湿装置１は、空気中に存在する異物を除去するフィルタ７を更に備えると好ましい。
本実施形態に係るフィルタ７は、抗菌材料又は抗菌材料が塗布された繊維によって形成されており、屋内１５に給気される空気１２の流路上であって、送風機（換気扇６Ｘ）よりも上流側において取付フレーム６ｄに取り付けられている。一方で、当該流路上であれば、その配置は任意であり、例えば、送風機（換気扇６Ｘ）とヒーター（フィルムヒーター３）との間に設けられていてもよい。
このように除湿装置１がフィルタ７を備えることで、屋内１５に給気される空気１２を清浄化することができ、フィルムヒーター３に塵埃等が付着することを抑制できる。
なお、異物を除去する必要がない場合には、フィルタ７は必ずしも必要な構成ではない。
【００３３】
除湿装置１は、建物４０の外壁４０ｗへの取付構造（フランジ６ａ及び止めねじ６ｂ）を更に備えると好ましい。
具体的には、フランジ６ａは、取付フレーム６ｄの一部であって、連結フレーム４よりも上下方向に突出して形成されている。止めねじ６ｂは、フランジ６ａの一部に厚さ方向に挿通されて外壁４０ｗにねじ込まれている。このように、除湿装置１が取付構造（フランジ６ａ及び止めねじ６ｂ）を備えることで、建物４０の外壁４０ｗの内壁面に除湿装置１を容易に取り付けることができる。なお、除湿装置１を外壁４０ｗに取り付けるための取付構造としては、フランジ６ａ及び止めねじ６ｂによるものに限定されず、ボルト・ナットや接着剤を用いるものであってもよい。
【００３４】
さらには、除湿装置１は、建物４０の外壁４０ｗの内壁面に取り付けられると、除湿装置１の周囲に空気１２を流しやすいため、不図示のダクトのように除湿装置１の周囲を囲まれるものに取り付けられる場合と比較してカビの繁殖を抑制できる。
しかしながら、本考案に係る除湿装置は、外壁４０ｗに取り付けられるものに限定されず、建物４０のダクトに取り付けられるものであってもよい。このようにダクトに取り付けられる場合としては、カビの繁殖が問題にならない場合や、ダクトに既に設けられており、これに除湿装置を取り付ける方が外壁４０ｗに取り付けるよりも作業が容易である場合等がある。
【００３５】
＜使用例のイメージについて＞
除湿装置１を使用した場合における温度・湿度の変化等のイメージを説明する。例えば、屋外１４の空気１２が温度約３０度、相対湿度約５０％である場合に、換気扇６Ｘによって給気された空気１２は、冷却部２０に触れることによって、温度約２０度、相対湿度約７０％となる。このとき、結露水が排水部２１の樋２１ｂから屋外１４に排出されるため、空気中の水蒸気量が減ることによって除湿されることとなる。そして、フィルムヒーター３によって加温されることで、温度約２３度、相対湿度約６０％となり、この温度、相対湿度の空気１２が屋内１５に給気されることとなる。
冷却器２の冷却管２０ａを流れる冷却水の温度については、貯水槽等から冷却部２０（フレーム２０ｄ）に流入する冷却水の温度は約７〜１０度、冷却部２０から貯水槽等に戻ってくる冷却水の温度は約１５度である。そして、例えば、除湿装置１を１０時間使用した場合に、屋外１４に排出される水の量は１５Ｌ程度である。
上記のように、屋外１４の空気１２を冷却部２０に触れさせることによって、温度を下げて結露を生じさせて空気中の水蒸気量を減らして除湿をすることができる。さらに、フィルムヒーター３によって、給気される空気１２を人が寒いと感じない適温に上昇させつつ、相対湿度を低めることによって、不快指数を低くすることができる。
【００３６】
＜変形例について＞
次に、図４を主に参照して変形例に係る冷却器２Ｘについて説明する。図４は、変形例に係る除湿装置を示す斜視図である。
図２に示す上記の実施例においては、除湿装置１が、換気扇６Ｘを一体的に備えるものであった。一方で、変形例に係る冷却器２Ｘは、換気扇６Ｘを一体的には備えるものではない。
【００３７】
冷却器２Ｘは、冷却器２と異なり換気扇６Ｘを介して外壁４０ｗ（図３参照）に取り付けられているのではなく、直接外壁４０ｗに取り付けられている。具体的には、冷却器２Ｘを構成する冷却部２０Ｘのフレーム２０Ｘｄの上部及び排水部２１Ｘのフレーム２１Ｘｄの下部は、フィルムヒーター３から離間する側（外壁４０ｗ側）に延在している。その延在した先で、延在方向に垂直な方向である上方及び下方であって、互いに離間する方向にフランジ２０ｂが延在している。
【００３８】
そして、冷却器２Ｘは、フランジ２０ｂが外壁４０ｗに面接触した状態で、止めねじ２０ｃがフランジ２０ｂに形成された貫通穴を挿通して外壁４０ｗにねじ込まれることで、外壁４０ｗに取り付けられることとなる。そして、フィルムヒーター３が支持体３ｂによって冷却器２Ｘに支持されているため、これらは、冷却器２Ｘとともに外壁４０ｗに取り付けられることとなる。
【００３９】
このように構成された冷却器２Ｘは、既設の不図示の換気扇によって給気される空気１２の下流側に取り付けられることで、給気される空気１２を除湿することができる。このため、換気扇を新たに用意する必要がなく、コストを抑えることができる。
【００４０】
＜＜除湿システムについて＞＞
次に、図５を参照して変形例に係る除湿装置１Ｙ及び除湿システムＳについて説明する。図５は、除湿システムＳを示す模式的な斜視図である。
除湿装置１Ｙは、冷却部２０Ｙ（熱交換器１０）と、冷却部２０Ｙに支持されたフィルムヒーター３と、冷媒を用いる他の機器（エアコンディショナ８）と建物４０の居室４０ｂに設けられた冷却部２０Ｙ（熱交換器１０）とを接続する接続部９と、を備える。ここで、他の機器（エアコンディショナ８）は、除湿装置１Ｙとは別に設けられた除湿装置１Ｙの外部にある機器を意味する。
除湿システムＳは、この除湿装置１Ｙとエアコンディショナ８とを備える。
【００４１】
エアコンディショナ８は、圧縮機を備える室外機８ａと、建物４０の居室４０ａに設けられた室内機８ｂと、室外機８ａと室内機８ｂとを接続する冷媒管８ｄと、室外機８ａと室内機８ｂにそれぞれ設けられた他の熱交換器（熱交換器８ａａ、８ｂａ）と、から構成される。ここで、他の熱交換器は、冷却部２０Ｙ（熱交換器１０）とは別に設けられた冷却部２０Ｙの外部にある機器を意味する。
接続部９は、エアコンディショナ８の冷媒管８ｄにおける、室内機８ｂ（熱交換器８ｂａ）に流入する前の冷媒が通る部位と、室内機８ｂ（熱交換器８ｂａ）に流入した後の冷媒が通る部位とに内部に連通するようにチーズ管によって両端を接続されている。そして、接続部９は、冷却部２０Ｙを通るように接続されている。つまり、冷媒管８ｄを通る冷媒の一部が接続部９に流れ込んで、冷却部２０Ｙを通るように流れることとなる。
【００４２】
また、冷却部２０Ｙ（熱交換器１０）において生じた結露水は、接続部９及び冷媒管８ｄを通る図示せぬ排水管（排水部）を熱交換器１０の下方に設け、これによって排出すればよい。このようにすれば、排水管によって屋外１４に結露水を排出でき、除湿することができることとなる。
【００４３】
エアコンディショナ８に用いられる冷媒管８ｄを利用した除湿システムＳによって屋外１４から屋内１５に給気される空気１２を冷却することができる。
本実施形態に係る冷却部２０Ｙは、接続部９を介して他の機器（エアコンディショナ８）から流れ込む冷媒によって熱交換を行う熱交換器１０である。
除湿装置１Ｙによれば、居室４０ａの屋内１５の空気１２を冷却する他の機器（エアコンディショナ８）の構成を利用して、居室４０ｂにおいて、屋内１５の空気１２を冷却しつつ、相対湿度を下げることができる。
【００４４】
なお、上記の除湿装置１Ｙに係る接続部９は、冷却部２０Ｙ（熱交換器１０）と室内機８ｂ（熱交換器８ｂａ）とを並列に接続する構成を例示したが、本考案はこのような構成に限定されない。
例えば、冷却部２０Ｙ（熱交換器１０）と室内機８ｂ（熱交換器８ｂａ）と直列に接続するように、冷媒管８ｄ及び接続部９を配設するようにしてもよい。この場合、室外機８ａから供給される冷媒は、室内機８ｂよりも先に冷却部２０Ｙ（熱交換器１０）を通るように構成されると好ましい。
この場合、具体的には、居室４０ｂに供給される冷媒が通る冷媒管８ｄの一の部位が室外機８ａと冷却部２０Ｙとに接続されている。その先で、居室４０ａに供給される冷媒が通る接続部９が冷却部２０Ｙと室内機８ｂとに接続されている。更にその先で、冷媒管８ｄの他の部位が室内機８ｂと室外機８ａとに接続されている。
このような構成であれば、除湿のための冷却部２０Ｙによる吸熱量は少ないため、冷却部２０Ｙを通った後の冷媒を、室内機８ｂによる居室４０ａの冷却に有効に利用することができる。
【００４５】
また、上記実施形態においては、外壁に除湿装置を取り付ける例について説明したが、本考案はこのような構成に限定されず、建物の各部屋を区切る壁や天井板や底板等に取り付けるようにしてもよい。例えば、天井板や底板に除湿装置を取り付ける場合には、下方向又は上方向に給気される空気１２の流路上に除湿装置が配設されるように除湿装置を取り付ければよい。具体的には、上記実施形態に係る除湿装置の取付向きに対して、フィルムヒーター３が冷却器２よりも給気側に位置するように除湿装置を９０度回転させて取り付ければよい。
【００４６】
本実施形態は以下の技術思想を包含する。
（１）送風機によって給気される空気を冷却する冷却部と該冷却部の下方に配設された排水部とが一体的に構成された冷却器と、
前記給気される空気に熱を加えて加温するヒーターと、を備え、
前記ヒーターは前記冷却器に一体的に取り付けられていることを特徴とする除湿装置。
（２）前記ヒーターは、前記冷却部を介して給気される前記空気の給気方向の延長上に配置されている（１）に記載の除湿装置。
（３）前記送風機から生じる回転動力によって電力を生じさせる発電機を更に備え、
前記ヒーターは、前記発電機から供給された前記電力を熱源としている（１）又は（２）に記載の除湿装置。
（４）前記ヒーターは、面状のフィルムヒーターであり、該フィルムヒーターの主面を前記冷却部に対向させて配置されている（１）から（３）のいずれか一項に記載の除湿装置。
（５）前記ヒーターを前記冷却器に取り付ける支持体を更に備える（１）から（４）のいずれか一項に記載の除湿装置。
（６）前記送風機は前記冷却器に一体的に取り付けられている（１）から（５）のいずれか一項に記載の除湿装置。
（７）空気中に存在する異物を除去するフィルタを更に備え、
該フィルタは、前記給気される空気の流路上であって、前記送風機と前記ヒーターとの間、又は前記送風機よりも上流側に設けられている（１）から（６）のいずれか一項に記載の除湿装置。
（８）建物の壁への取付構造を更に備える（１）から（７）のいずれか一項に記載の除湿装置。
（９）冷媒を用いる他の機器と前記冷却部とを接続する接続部を更に備え、
前記冷却部は、前記接続部を介して前記他の機器から流れ込む前記冷媒によって熱交換を行う熱交換器である（１）から（８）のいずれか一項に記載の除湿装置。
（１０）（９）に記載の除湿装置と、
圧縮機を備える室外機と、室内機と、前記室外機と前記室内機とを接続する冷媒管と、前記室外機と前記室内機にそれぞれ設けられた他の熱交換器と、から構成されるエアコンディショナを備え、
前記他の機器は、前記エアコンディショナであり、
前記接続部が前記エアコンディショナの前記冷媒管に接続されることにより、前記接続部に冷媒が流れ込む除湿システム。
（１１）前記冷却部及び前記ヒーターは、前記送風機によって給気される前記空気の流路上に配置されている（１０）に記載の除湿システム。
（１２）前記送風機は、室内に空気を給気する吸気側送風機であり、
室外に空気を排気する排気側送風機と、前記吸気側送風機と前記排気側送風機とを同時に稼働するように電力の供給を切り替えるスイッチと、を更に備える（１０）又は（１１）に記載の除湿システム。
【符号の説明】
【００４７】
Ｓ  除湿システム
１、１Ｘ、１Ｙ  除湿装置
２、２Ｘ  冷却器
３  フィルムヒーター（ヒーター）
３ａ  主面
３ｂ  支持体（接続部）
４  連結フレーム
４ａ  連結ピン
４ｂ  連結ねじ
５  発電機
５ａ  導線
６Ｘ  換気扇（送風機、吸気側送風機）
６Ｙ  換気扇（排気側送風機）
６ａ  フランジ（取付構造）
６ｂ  止めねじ（取付構造）
６ｃ  モータ
６ｄ  取付フレーム（取付構造）
６ｅ  回転シャフト
７  フィルタ
８  エアコンディショナ（他の機器）
８ａ  室外機
８ａａ  熱交換器（他の熱交換器）
８ｂ  室内機
８ｂａ  熱交換器（他の熱交換器）
８ｄ  冷媒管
９  接続部
１０  熱交換器（冷却部）
１２  空気
１３  排水管
１４  屋外
１５  屋内
２０、２０Ｘ、２０Ｙ  冷却部
２０ａ  冷却管
２０ｂ  フランジ（取付構造）
２０ｃ  止めねじ（取付構造）
２０ｄ  フレーム
２０Ｘｄ  フレーム
２１、２１Ｘ  排水部
２１ａ  受け部
２１ｂ  樋
２１Ｘｄ  フレーム
４０  建物
４０ａ、４０ｂ  居室
４０ｗ  外壁
【図１】
0003214744.tif 000003
【図２】
0003214744.tif 000004
【図３】
0003214744.tif 000005
【図４】
0003214744.tif 000006
【図５】
0003214744.tif 000007